(57)【特許請求の範囲】
【請求項１】
電気光学パネルと、
該電気光学パネルの画像光の出射側の面に固定された出射側透光板と、
前記電気光学パネルの側面を保持する第１フレームと、
前記出射側透光板を前記電気光学パネルとは反対側から覆う枠状の出射側見切りを構成する枠状の板部と、該板部から前記第１フレームとは反対側に突出した筒状の胴部と、を含む固定部材を備える第２フレームと、
前記胴部の前記板部とは反対側の端部に保持された出射側位相差板および前記出射側位相差板の前記出射側透光板とは反対側の面に固定された出射側偏光板と、
を有し、
前記固定部材は、前記電気光学パネルおよび前記第１フレームから離間した状態で前記出射側透光板の前記電気光学パネルとは反対側の面に固定されていることを特徴とする電気光学モジュール。
【請求項２】
電気光学パネルと、
該電気光学パネルの画像光の出射側の面に固定された出射側透光板と、
前記電気光学パネルの側面を保持する第１フレームと、
前記第１フレームより前記画像光の出射側に枠状の板部と、該板部から前記第１フレームとは反対側に突出した筒状の胴部と、を含む固定部材と、該固定部材と別体に構成され、当該固定部材に固定された状態で当該固定部材から内側に突出して出射側見切りを構成する見切り部材と、を備える第２フレームと、
前記胴部の前記板部とは反対側の端部に保持された出射側位相差板および前記出射側位相差板の前記出射側透光板とは反対側の面に固定された出射側偏光板と、
を有し、
前記固定部材は、前記電気光学パネルおよび前記第１フレームから離間した状態で前記出射側透光板の前記電気光学パネルとは反対側の面に固定されていることを特徴とする電気光学モジュール。
【請求項３】
前記胴部の前記板部とは反対側の端部に前記出射側偏光板が保持され、
前記胴部の内側には、前記出射側偏光板と前記出射側透光板との間に前記出射側位相差板が保持されていることを特徴とする請求項１または２に記載の電気光学モジュール。
【請求項４】
前記出射側位相差板は、前記出射側偏光板に対して斜めに傾いた姿勢で前記胴部の内側に保持されていることを特徴とする請求項３に記載の電気光学モジュール。
【請求項５】
電気光学パネルと、
該電気光学パネルの画像光の出射側の面に固定された出射側透光板と、
前記電気光学パネルの側面を保持する第１フレームと、
前記電気光学パネル、前記出射側透光板、および前記第１フレームのうちの少なくとも一つに固定され、前記出射側透光板を前記電気光学パネルとは反対側から覆う枠状の出射側見切りを構成する板状部材と、該板状部材と別体に構成され、当該板状部材に固定された状態で当該板状部材から前記第１フレームとは反対側に突出する筒状部材と、を含む固定部材を備える第２フレームと、
前記筒状部材に保持された出射側偏光板または出射側位相差板と、
を有することを特徴とする電気光学モジュール。
【請求項６】
前記板部は、前記胴部より板厚が厚く、
前記板部には、前記電気光学パネルが搭載される電子機器への取り付け部が形成されていることを特徴とする請求項１乃至４の何れか一項に記載の電気光学モジュール。
【請求項７】
前記電気光学パネルは、第１基板と、該第１基板に対して前記出射側で対向配置された透光性の第２基板と、前記第１基板と前記第２基板との間に設けられた電気光学層と、を有していることを特徴とする請求項１乃至６の何れか一項に記載の電気光学モジュール。
【請求項８】
請求項１乃至７の何れか一項に記載の電気光学モジュールを備えた電子機器であって、
前記電気光学モジュールに供給される光を出射する光源部と、
前記電気光学モジュールによって変調された光を投射する投射光学系と、
を有していることを特徴とする電子機器。
【発明の詳細な説明】
【技術分野】
【０００１】
本発明は、投射型表示装置等の電子機器に用いられる電気光学モジュール、および該電気光学モジュールを備えた電子機器に関するものである。
【背景技術】
【０００２】
投射型表示装置等の電子機器において画像を表示する際には、電気光学パネルによって変調した光を利用する。電気光学パネルは、例えば、第１基板と、第１基板に対して出射側で対向配置された透光性の第２基板と、第１基板と第２基板との間に設けられた液晶層等の電気光学層とを備えており、第２基板の出射側の面には、防塵用の出射側透光板が固定されている。かかる構成の電気光学パネルは、電気光学パネルを保持する側壁を備えた枠状のフレームとともに電気光学モジュールを構成した状態で用いられる。
【０００３】
また、出射側透光板の出射側に出射側位相差板や偏光板が積層され、フレームには、電気光学パネルの出射側透光板から張り出している部分を画像光の出射側で覆う出射側見切りが設けられた構成が提案されている（特許文献１参照）。また、特許文献１に記載の電気光学モジュールでは、フレームがプレートにネジによって固定されており、プレートを介して電気光学モジュールが電子機器に搭載される。
【先行技術文献】
【特許文献】
【０００４】
【特許文献１】特開平１０−１３３１８０号公報
【発明の概要】
【発明が解決しようとする課題】
【０００５】
しかしながら、特許文献１に記載の構成のように、電気光学パネルの出射側透光板から張り出している部分を出射側見切りが画像光の出射側から覆う構成では、出射側透光板の側面から光が漏れるおそれがある。かかる光の漏れは迷光となって画像の品位を低下させるため、好ましくない。
【０００６】
以上の問題点に鑑みて、本発明の課題は、出射側透光板の側面から漏れた光が迷光として出射されることを防止することができるとともに、偏光板等の光学素子を電気光学パネルに対する所定位置に容易に配置することのできる電気光学モジュール、および当該電気光学モジュールを備えた電子機器を提供することにある。
【課題を解決するための手段】
【０００７】
上記課題を解決するために、本発明に係る電気光学モジュールは、電気光学パネルと、該電気光学パネルの画像光の出射側の面に固定された出射側透光板と、前記電気光学パネルの側面を保持する第１フレームと、前記出射側透光板を前記電気光学パネルとは反対側から覆う枠状の出射側見切りを構成する枠状の板部と、該板部から前記第１フレームとは反対側に突出した筒状の胴部と、を含む固定部材を備える第２フレームと、前記胴部の前記板部とは反対側の端部に保持された出射側位相差板および前記出射側位相差板の前記出射側透光板とは反対側の面に固定された出射側偏光板と、を有し、前記固定部材は、前記電気光学パネルおよび前記第１フレームから離間した状態で前記出射側透光板の前記電気光学パネルとは反対側の面に固定されていることを特徴とする。
また、電気光学パネルと、該電気光学パネルの画像光の出射側の面に固定された出射側透光板と、前記電気光学パネルの側面を保持する第１フレームと、前記第１フレームより前記画像光の出射側に枠状の板部と、該板部から前記第１フレームとは反対側に突出した筒状の胴部と、を含む固定部材と、該固定部材と別体に構成され、当該固定部材に固定された状態で当該固定部材から内側に突出して出射側見切りを構成する見切り部材と、を備える第２フレームと、前記胴部の前記板部とは反対側の端部に保持された出射側位相差板および前記出射側位相差板の前記出射側透光板とは反対側の面に固定された出射側偏光板と、を有し、前記固定部材は、前記電気光学パネルおよび前記第１フレームから離間した状態で前記出射側透光板の前記電気光学パネルとは反対側の面に固定されていることを特徴とする。
また、電気光学パネルと、該電気光学パネルの画像光の出射側の面に固定された出射側透光板と、前記電気光学パネルの側面を保持する第１フレームと、前記電気光学パネル、前記出射側透光板、および前記第１フレームのうちの少なくとも一つに固定され、前記出射側透光板を前記電気光学パネルとは反対側から覆う枠状の出射側見切りを構成する板状部材と、該板状部材と別体に構成され、当該板状部材に固定された状態で当該板状部材から前記第１フレームとは反対側に突出する筒状部材と、を含む固定部材を備える第２フレームと、前記筒状部材に保持された出射側偏光板または出射側位相差板と、を有することを特徴とする。
【０００８】
本発明において、出射側見切りは、出射側透光板を画像光の出射側から覆い、かかる出射側見切りは、第１フレームより画像光の出射側に設けられた第２フレームに設けられている。このため、出射側透光板の側面から漏れた光は、第２フレームで遮断されるため、迷光として出射されることを防止することができる。従って、出射側透光板の側面から漏れた光が迷光となって画像の品位を低下させることを防止することができる。また、出射側見切りが設けられた第２フレームは、電気光学パネルの側面を保持する第１フレームとは別体であるため、一体のフレームに出射側見切りを設けた場合と違って、電気光学モジュールを組み立てる際、出射側からフレームの内側（第２フレームの内側）に電気光学パネルを配置することができる。また、第２フレームを利用して光学素子を保持する構造となっているので、光学素子を電気光学パネルに対する所定位置に容易に配置することができる。
【０００９】
本発明において、前記第２フレームには、前記光学素子として、出射側偏光板および出射側位相差板の少なくとも一方が保持されている構成を採用することができる。
【００１０】
本発明において、前記第２フレームは、前記電気光学パネル、前記出射側透光板、および前記第１フレームのうちの少なくとも一つに固定された枠状の固定部材を有し、前記固定部材と一体に前記出射側見切りが構成されていることが好ましい。かかる構成によれば、出射側見切りを別部材として設ける必要がない。
【００１１】
本発明において、前記第２フレームは、前記電気光学パネル、前記出射側透光板、および前記第１フレームのうちの少なくとも一つに固定された枠状の固定部材と、該固定部材と別体に構成され、当該固定部材に固定された状態で当該固定部材から内側に突出して前記出射側見切りを構成する見切り部材と、を備えている構成を採用してもよい。
【００１２】
本発明において、前記固定部材は、前記電気光学パネル、前記出射側透光板、および前記第１フレームのうちの少なくとも一つに固定された枠状の板部と、該板部から前記第１フレームとは反対側に突出した筒状の胴部と、を備え、前記胴部に前記光学素子が保持されていることが好ましい。かかる構成によれば、光学素子を出射側透光板から離間する所定位置に設けることができる。
【００１３】
本発明において、前記胴部には、前記光学素子として、前記出射側偏光板および前記出射側位相差板の双方が保持されていることが好ましい。かかる構成によれば、出射側偏光板および出射側位相差板を出射側透光板から離間する所定位置に配置することができる。
【００１４】
本発明において、前記胴部の前記板部とは反対側の端部に前記出射側位相差板が保持され、前記出射側位相差板の前記出射側透光板とは反対側の面に前記出射側偏光板が固定されている構成を採用することができる。かかる構成によれば、出射側偏光板および出射側位相差板を出射側透光板から離間する所定位置に配置することができる。
【００１５】
この場合、前記固定部材は、前記電気光学パネルおよび前記第１フレームから離間した状態で前記出射側透光板の前記電気光学パネルとは反対側の面に固定されている構成を採用してもよい。
【００１６】
本発明において、前記胴部の前記板部とは反対側の端部に前記出射側偏光板が保持され、前記胴部の内側には、前記出射側偏光板と前記出射側透光板との間に前記出射側位相差板が保持されている構成を採用してもよい。かかる構成によれば、出射側偏光板および出射側位相差板を各々、適正な位置に容易に配置することができる。
【００１７】
この場合、前記出射側位相差板は、前記出射側偏光板に対して斜めに傾いた姿勢で前記胴部の内側に保持されている構成を採用してもよい。
【００１８】
本発明において、前記第２フレームは、前記板部を構成する板状部材と、該板状部材と別体に構成され、当該板状部材に固定された状態で当該板状部材から前記第１フレームとは反対側に突出して前記胴部を構成する筒状部材と、を備えていることが好ましい。かかる構成によれば、板部（板状部材）および胴部（筒状部材）を各々、適正な材料によって構成することができる。
【００１９】
本発明において、前記板部は、前記胴部より板厚が厚く、前記板部には、前記電気光学パネルが搭載される電子機器への取り付け部が形成されていることが好ましい。かかる構成によれば、電子機器を組み立てる際、第２フレームを基準に電気光学パネルや出射側見切りの位置を決めることができる。
【００２０】
本発明において、前記電気光学パネルは、第１基板と、該第１基板に対して前記出射側で対向配置された透光性の第２基板と、前記第１基板と前記第２基板との間に設けられた電気光学層と、を有している構成を採用することができる。
【００２１】
本発明に係る電気光学モジュールは各種電子機器に用いることができる。また、電子機器として投射型表示装置を構成した場合、電子機器は、前記電気光学モジュールに供給される光を出射する光源部と、前記電気光学モジュールによって変調された光を投射する投射光学系と、を有している。
【図面の簡単な説明】
【００２２】
【図１】本発明を適用した電子機器の一例としての投射型表示装置の説明図である。
【図２】本発明を適用した投射型表示装置に用いた光学ユニットの構成を示す説明図である。
【図３】本発明を適用した投射型表示装置に用いた光学ユニットの詳細構成を示す説明図である。
【図４】本発明を適用した電気光学モジュールに用いた電気光学パネルの説明図である。
【図５】本発明の実施の形態１に係る電気光学モジュールを画像光の出射側からみたときの斜視図である。
【図６】本発明の実施の形態１に係る電気光学モジュールを画像光の出射側からみたときの分解斜視図である。
【図７】本発明の実施の形態１に係る電気光学モジュールの断面図である。
【図８】本発明の実施の形態２に係る電気光学モジュールのＸＺ断面図である。
【図９】本発明の実施の形態２の変形例２に係る電気光学モジュールのＸＺ断面図である。
【発明を実施するための形態】
【００２３】
図面を参照して、本発明の実施の形態を説明する。なお、以下の説明では、本発明を適用した電子機器として、透過型の電気光学パネル（透過型の液晶パネル）を備えた電気光学モジュールをライトバルブとして用いた投射型表示装置を説明する。また、以下の説明で参照する図においては、各層や各部材を図面上で認識可能な程度の大きさとするため、各層や各部材毎に縮尺を異ならしめてある。また、以下の説明では、本発明を適用した電気光学モジュールが搭載される投射型表示装置（電子機器）、および本発明を適用した電気光学モジュールに用いられる電気光学パネルの構成を説明した後、各実施の形態に係る電気光学モジュールを説明する。
【００２４】
（投射型表示装置（電子機器）の構成）
図１は、本発明を適用した電子機器の一例としての投射型表示装置の説明図であり、図１（ａ）、（ｂ）は、投射型表示装置の主要部分の平面的な構成を示す説明図、および主要部分を側方からみたときの説明図である。図２は、本発明を適用した投射型表示装置に用いた光学ユニットの構成を示す説明図である。
【００２５】
図１に示す投射型表示装置１において、外装ケース２の内部には、その後端側に電源ユニット７が配置され、電源ユニット７に装置前側で隣り合う位置に光源ランプユニット８（光源部）および光学ユニット９が配置されている。また、外装ケース２の内部には、光学ユニット９の前側の中央に投射レンズユニット６の基端側が位置している。光学ユニット９の一方の側には、入出力インターフェース回路が搭載されたインターフェース基板１１が装置前後方向に向けて配置され、インターフェース基板１１に平行に、ビデオ信号処理回路が搭載されたビデオ基板１２が配置されている。光源ランプユニット８および光学ユニット９の上側には装置駆動制御用の制御基板１３が配置され、装置前端側の左右の角の各々にはスピーカー１４Ｒ、１４Ｌが配置されている。
【００２６】
光学ユニット９の上方および下方には装置内部冷却用の吸気ファン１５Ａ、１５Ｂが配置されている。また、光源ランプユニット８の裏面側である装置側面には排気ファン１６が配置されている。さらに、インターフェース基板１１およびビデオ基板１２の端に面する位置には、吸気ファン１５Ａからの冷却用空気流を電源ユニット７内に吸引するための補助冷却ファン１７が配置されている。これらのファンのうち、吸気ファン１５Ｂは、主に後述する液晶パネルの冷却用ファンとして機能している。
【００２７】
図２において、光学ユニット９を構成する各光学素子は、色光合成手段を構成しているプリズムユニット２０を含めて、ＭｇやＡｌ等の金属からなる上ライトガイド２１または下ライトガイド２２により支持されている。上ライトガイド２１および下ライトガイド２２は、アッパーケース３およびロアーケース４に固定ねじにより固定されている。
【００２８】
（光学ユニット９の詳細構成）
図３は、本発明を適用した投射型表示装置に用いた光学ユニットの詳細構成を示す説明図である。図３に示すように、光学ユニット９は、光源ランプ８０５と、均一照明光学素子であるインテグレーターレンズ９２１、９２２を有する照明光学系９２３と、この照明光学系９２３から出射される光束Ｗを、赤、緑、青の各光束Ｒ、Ｇ、Ｂに分離する色光分離光学系９２４とを有している。また、光学ユニット９は、各色光束を変調する電気光学パネル（ライトバルブ）としての３枚の透過型の電気光学パネル４０（Ｒ）、４０（Ｇ）、４０（Ｂ）と、変調された色光束を合成する色光合成光学系としてのプリズムユニット２０と、合成された光束を投射面上に拡大投射する投射レンズユニット６とを有している。また、色光分離光学系９２４によって分離された各色光束のうち、青色光束Ｂを対応する電気光学パネル４０（Ｂ）に導くリレー光学系９２７を備えている。
【００２９】
照明光学系９２３は、さらに、反射ミラー９３１を備えており、光源ランプ８０５からの出射光の光軸１ａを装置前方向に向けて直角に折り曲げるようにしている。この反射ミラー９３１を挟み、インテグレーターレンズ９２１、９２２が前後に直交する状態に配置されている。
【００３０】
色光分離光学系９２４は、青緑反射ダイクロイックミラー９４１と、緑反射ダイクロイックミラー９４２と、反射ミラー９４３から構成される。まず、青緑反射ダイクロイックミラー９４１において、照明光学系９２３を通った光束Ｗのうち、そこに含まれている青色光束Ｂおよび緑色光束Ｇが直角に反射されて、緑反射ダイクロイックミラー９４２の側に向かう。赤色光束Ｒは、この青緑反射ダイクロイックミラー９４１を通過して、後方の反射ミラー９４３で直角に反射されて、赤色光束の出射部９４４から色光合成光学系の側に出射される。次に、緑反射ダイクロイックミラー９４２において、青緑反射ダイクロイックミラー９４１において反射された青および緑の光束Ｂ、Ｇのうち、緑色光束Ｇのみが直角に反射されて、緑色光束の出射部９４５から色光合成光学系の側に出射される。緑反射ダイクロイックミラー９４２を通過した青色光束Ｂは、青色光束の出射部９４６からリレー光学系９２７の側に出射される。本形態では、照明光学系９２３の光束の出射部から色光分離光学系９２４における各色光束の出射部９４４、９４５、９４６までの距離が、全てほぼ等しくなるように設定されている。
【００３１】
色光分離光学系９２４の赤色光束および緑色光束の出射部９４４、９４５の出射側には、それぞれ集光レンズ９５１、９５２が配置されている。したがって、各出射部から出射した赤色光束および緑色光束は、これらの集光レンズ９５１、９５２に入射して平行化される。
【００３２】
平行化された赤色および緑色の光束Ｒ、Ｇは、入射側偏光板１６０（Ｒ）、１６０（Ｇ）によって偏光方向が揃えられた後、電気光学パネル４０（Ｒ）、４０（Ｇ）に入射して変調され、各色光に対応した画像情報が付加される。すなわち、これらの電気光学パネル４０（Ｒ）、４０（Ｇ）は、図示していない駆動手段によって画像情報に対応する画像信号によってスイッチング制御され、これにより、ここを通過する各色光の変調が行われる。このような駆動手段は、公知の手段をそのまま使用することができる。
【００３３】
一方、青色光束Ｂは、リレー光学系９２７を介し、さらに、入射側偏光板１６０（Ｂ）によって偏光方向が揃えられた後、対応する電気光学パネル４０（Ｂ）に導かれて、ここにおいて、同様に画像情報に応じて変調が施される。リレー光学系９２７は、集光レンズ９７４と入射側反射ミラー９７１と、出射側反射ミラー９７２と、これらのミラー間に配置した中間レンズ９７３と、電気光学パネル４０（Ｂ）の手前側に配置した集光レンズ９５３から構成される。各色光束の光路の長さ、すなわち、光源ランプ８０５から各液晶パネルまでの距離は、青色光束Ｂが最も長くなり、従って、この光束の光量損失が最も多くなる。しかし、リレー光学系９２７を介在させることにより、光量損失を抑制できる。
【００３４】
各電気光学パネル４０（Ｒ）、４０（Ｇ）、４０（Ｂ）を通って変調された各色光束は、出射側偏光板１６１（Ｒ）、１６１（Ｇ）、１６１（Ｂ）に入射し、これを透過した光がプリズムユニット２０（クロスダイクロイックプリズム）に入射して合成される。ここで合成されたカラー画像は、投射レンズ系を備えた投射レンズユニット６を介して、所定の位置にあるスクリーン等の被投射面１ｂ上に拡大投射される。
【００３５】
本形態においては、後述するように、電気光学パネル４０（Ｒ）、４０（Ｇ）、４０（Ｂ）と出射側偏光板１６１（Ｒ）、１６１（Ｇ）、１６１（Ｂ）との間に出射側位相差板が配置されている。
【００３６】
（電気光学パネル４０の構成）
図４は、本発明を適用した電気光学モジュールに用いた電気光学パネル４０の説明図であり、図４（ａ）、（ｂ）は各々、電気光学パネル４０を各構成要素とともに第２基板（対向基板）の側から見た平面図、およびそのＨ−Ｈ′断面図である。
【００３７】
なお、図４および後述する図５〜図９において、光源光の進行方向については矢印Ｌ１１で示し、電気光学パネル４０によって光源光を変調した後の表示光の進行方向については矢印Ｌ１２で示してある。また、以下の説明では、電気光学パネル４０および電気光学モジュールの面内方向で互いに交差する方向の一方をＸ軸方向とし、他方をＹ軸方向とし、Ｘ軸方向およびＹ軸方向に交差する方向をＺ軸方向とする。また、以下に参照する図面では、Ｙ軸方向の一方側（フレキシブル配線基板４０ｉが設けられている側）をＹ１側とし、他方側をＹ２側とし、Ｘ軸方向の一方側をＸ１側とし、他方側をＸ２側とし、Ｚ軸方向の一方側（光源光が入射する側）をＺ１側とし、他方側（表示光が出射される側）をＺ２側として表してある。
【００３８】
図１〜図３を参照して説明した投射型表示装置１において、光学ユニット９に電気光学パネル４０（Ｒ）、４０（Ｇ）、４０（Ｂ）を搭載するにあたっては、電気光学パネル４０（Ｒ）、４０（Ｇ）、４０（Ｂ）を各々、後述する電気光学モジュール１０（Ｒ）、１０（Ｇ）、１０（Ｂ）として搭載する。ここで、電気光学パネル４０（Ｒ）、４０（Ｇ）、４０（Ｂ）は同一の構成を有しており、電気光学パネル４０（Ｒ）、４０（Ｇ）、４０（Ｂ）を備えた電気光学モジュール１０（Ｒ）、１０（Ｇ）、１０（Ｂ）も赤色用（Ｒ）、緑色用（Ｇ）、青色用（Ｂ）で同一の構成を有している。従って、以下の説明では、電気光学パネル４０（Ｒ）、４０（Ｇ）、４０（Ｂ）および電気光学モジュール１０（Ｒ）、１０（Ｇ）、１０（Ｂ）等については、対応する色を示す（Ｒ）（Ｇ）（Ｂ）を付さずに説明する。
【００３９】
図４に示すように、電気光学パネル４０では、透光性の第１基板５１（素子基板）と透光性の第２基板５２（対向基板）とが所定の隙間を介してシール材４０７によって貼り合わされている。第１基板５１および第２基板５２は石英ガラスや耐熱ガラス等が用いられており、本形態において、第１基板５１および第２基板５２には石英ガラスが用いられている。本形態において、電気光学パネル４０は液晶パネルであり、第１基板５１と第２基板５２との間においてシール材４０７によって囲まれた領域内に電気光学層４５０としての液晶層が保持されている。シール材４０７は、第２基板５２の外縁に沿うように枠状に設けられている。シール材４０７は、光硬化性を備えた接着剤、熱硬化性を備えた接着剤、あるいは光硬化性および熱硬化性の双方を備えた接着剤であり、両基板間の距離を所定値とするためのグラスファイバー、あるいはガラスビーズ等のギャップ材が配合されている。
【００４０】
本形態において、第１基板５１は四角形であり、４つの辺からなる側面５１１、５１２、５１３、５１４を備えている。第２基板５２も、第１基板５１と同様、四角形であり、４つの辺からなる側面５２１、５２２、５２３、５２４を備えている。電気光学パネル４０の略中央には、変調光を出射する画像表示領域４０ａが四角形の領域として設けられている。かかる形状に対応して、シール材４０７も略四角形に設けられ、シール材４０７の内周縁と画像表示領域４０ａの外周縁との間には、四角枠状の周辺領域４０ｃが設けられている。
【００４１】
本形態において、第１基板５１は第２基板５２よりサイズが大きく、第１基板５１の４つの側面５１１、５１２、５１３、５１４は各々、第２基板５２の側面５２１、５２２、５２３、５２４より外側に張り出している。このため、第２基板５２の周りには、第１基板５１と第２基板５２の側面５２１、５２２、５２３、５２４とによって段部が形成され、かかる段部では、第１基板５１が第２基板５２から露出した状態にある。また、４つの側面５１１、５１２、５１３、５１４のうち、Ｙ軸方向の一方側Ｙ１に位置する側面５１４は、他の側面５１１、５１２、５１３より第２基板５２の側面５２４から大きく張り出しており、第１基板５１には、側面５１４に沿ってデータ線駆動回路４０１および複数の端子４０２が形成されている。また、第１基板５１には、側面５１１、５１２に沿って走査線駆動回路４０４が形成されている。端子４０２には、フレキシブル配線基板４０ｉが接続されており、第１基板５１には、フレキシブル配線基板４０ｉを介して各種電位や各種信号が入力される。なお、第１基板５１では、側面５１４とフレキシブル配線基板４０ｉとに跨るように補強用の接着剤４１が塗布されている。
【００４２】
第１基板５１の第１面５１ａおよび第２面５１ｂのうち、第２基板５２と対向する第１面５１ａには、画像表示領域４０ａに、透光性の画素電極４０５ａおよび画素電極４０５ａに対応する画素トランジスター（スイッチング素子／図示せず）を備えた画素がマトリクス状に形成されており、かかる画素電極４０５ａの上層側には配向膜４１６が形成されている。また、第１基板５１の第１面５１ａにおいて、周辺領域４０ｃには、画素電極４０５ａと同時形成されたダミー画素電極４０５ｂが形成されている。
【００４３】
第２基板５２の第１面５２ａおよび第２面５２ｂのうち、第１基板５１と対向する第１面５２ａには透光性の共通電極４２１が形成されており、共通電極４２１の上層には配向膜４２６が形成されている。共通電極４２１は、第２基板５２の略全面あるいは複数の帯状電極として複数の画素に跨って形成されており、本形態において、共通電極４２１は、第２基板５２の略全面に形成されている。また、第２基板５２の第１面５２ａには、共通電極４２１の下層側に遮光層４０８が形成されている。本形態において、遮光層４０８は、画像表示領域４０ａの外周縁に沿って延在する額縁状に形成されており、かかる遮光層４０８の内縁によって画像表示領域４０ａが規定されている。遮光層４０８の外周縁は、シール材４０７の内周縁との間に隙間を隔てた位置にあり、遮光層４０８とシール材４０７とは被さっていない。また、第２基板５２において、隣り合う画素電極４０５ａにより挟まれた領域と重なる領域等には、遮光層４０８と同時形成された遮光層がブラックマトリクスあるいはブラックストライプとして形成されることもある。
【００４４】
第１基板５１には、シール材４０７より外側において第２基板５２の角部分と重なる領域に、第１基板５１と第２基板５２との間で電気的導通をとるための基板間導通用電極４０９が形成されている。基板間導通用電極４０９と第２基板５２との間には、導電粒子を含んだ基板間導通材４０９ａが配置されており、第２基板５２の共通電極４２１は、基板間導通材４０９ａおよび基板間導通用電極４０９を介して、第１基板５１側に電気的に接続されている。このため、共通電極４２１は、第１基板５１の側から共通電位が印加されている。シール材４０７は、略同一の幅寸法をもって第２基板５２の外周縁に沿って設けられている。但し、シール材４０７は、第２基板５２の角部分と重なる領域では基板間導通用電極４０９を避けて内側を通るように設けられている。
【００４５】
かかる構成の電気光学パネル４０において、本形態では、画素電極４０５ａおよび共通電極４２１がＩＴＯ膜等の透光性導電膜により形成されているため、電気光学パネル４０は透過型の液晶パネルである。かかる透過型の液晶パネル（電気光学パネル４０）の場合、第１基板５１および第２基板５２のうち、一方側の基板から入射した光が他方側の基板を透過して出射される間に変調される。本形態では、第２基板５２から入射した光（矢印Ｌ１１で示す）が第１基板５１を透過して変調光（矢印Ｌ１２で示す）として出射される構成になっている。このため、第２基板５２はＺ軸方向の一方側Ｚ１に配置され、第１基板５１はＺ軸方向の他方側Ｚ２に配置されている。
【００４６】
なお、共通電極４２１を透光性導電膜により形成し、画素電極４０５ａを反射性導電膜により形成すると、反射型の液晶パネルを構成することができる。反射型の液晶パネルの場合、第２基板５２の側から入射した光が第１基板５１の側で反射して出射される間に変調される。この場合、第２基板５２は透光性を有する必要があるが、第１基板５１は透光性である必要はない。
【００４７】
本形態の電気光学パネル４０は、前記した投射型表示装置（液晶プロジェクター）において、ライトバルブとして用いられるため、カラーフィルターは形成されない。但し、電気光学パネル４０を、モバイルコンピューター、携帯電話機等といった電子機器の直視型のカラー表示装置として用いる場合、第２基板５２には、カラーフィルターが形成される。
【００４８】
［実施の形態１］
（電気光学モジュール１０の全体構成）
図５は、本発明の実施の形態１に係る電気光学モジュール１０を画像光の出射側からみたときの斜視図であり、図５（ａ）は、出射側偏光板１６１を取り付けた状態の電気光学モジュール１０の斜視図、および出射側偏光板１６１を外した状態の電気光学モジュール１０の斜視図である。図６は、本発明の実施の形態１に係る電気光学モジュール１０を画像光の出射側からみたときの分解斜視図である。図７は、本発明の実施の形態１に係る電気光学モジュール１０の断面図であり、図７（ａ）、（ｂ）は、ＹＺ断面図およびＸＺ断面図である。
【００４９】
図４を参照して説明した電気光学パネル４０を、図１〜図３を参照して説明した投射型表示装置１および光学ユニット９に搭載するにあたっては、図５〜図７に示すように、補強等を目的に、電気光学パネル４０を第１フレーム６０により保持した電気光学モジュール１０とする。また、本形態の電気光学モジュール１０では、電気光学パネル４０および第１フレーム６０に加えて、後述する第２フレーム７０が用いられている。また、本形態の電気光学モジュール１０では、電気光学モジュール１０に出射側透光板５６および入射側透光板５７が固定されている。
【００５０】
（出射側透光板５６および入射側透光板５７の構成）
電気光学パネル４０では、第１基板５１の第２面５１ｂ（画像光出射面、外面）に出射側透光板５６が透光性の接着剤により固定され、第２基板５２の第２面５２ｂ（画像光入射面、外面）に入射側透光板５７が透光性の接着剤により固定されている。出射側透光板５６および入射側透光板５７は各々、防塵ガラスとして構成されており、塵等が第１基板５１の第２面５１ｂおよび第２基板５２の第２面５２ｂに付着するのを防止する。このため、電気光学パネル４０に塵が付着したとしても、塵は電気光学層４５０から離間している。従って、図１等を参照して説明した投射型表示装置１から投射された画像に塵が像として写し出されることを抑制することができる。出射側透光板５６および入射側透光板５７には石英ガラスや耐熱ガラス等が用いられており、本形態において、出射側透光板５６および入射側透光板５７には、第１基板５１および第２基板５２と同様、石英ガラスが用いられている。
【００５１】
出射側透光板５６は、電気光学パネル４０の画像表示領域４０ａに重なるように設けられている。出射側透光板５６は、第１基板５１よりサイズが小さい四角形状であり、出射側透光板５６の側面５６１、５６２、５６３、５６４は各々、出射側透光板５６の全周において第１基板５１の側面５１１、５１２、５１３、５１４より内側に位置している。従って、出射側透光板５６のＸ軸方向の両側およびＹ軸方向の両側では、電気光学パネル４０の第１基板５１の第２面５１ｂが露出している。また、出射側透光板５６の周りでは、出射側透光板５６の側面５６１、５６２、５６３、５６４と第１基板５１とによって段部が構成されている。
【００５２】
入射側透光板５７は、電気光学パネル４０の画像表示領域４０ａに重なるように設けられている。入射側透光板５７は、出射側透光板５６とサイズが略同一の四角形であり、第２基板５２よりはサイズが小さい。このため、入射側透光板５７の側面５７１、５７２、５７３、５７４は各々、入射側透光板５７の全周において第２基板５２の側面５２１、５２２、５２３、５２４より内側に位置している。従って、入射側透光板５７のＸ軸方向の両側およびＹ軸方向の両側では、電気光学パネル４０の第２基板５２の第２面５２ｂが露出している。また、入射側透光板５７の周りでは、入射側透光板５７の側面５７１、５７２、５７３、５７４と第２基板５２とによって段部が構成されている。
【００５３】
（第１フレーム６０の構成）
第１フレーム６０は、Ｚ方向の一方側Ｚ１（光源光の入射側）の中央に矩形の開口部６８を備えた矩形枠状の樹脂製部材あるいは金属製部材であり、電気光学パネル４０の周りを囲む４つの側壁６１、６２、６３、６４を備えている。本形態において、第１フレーム６０は、金属製部材である。かかる第１フレーム６０に、後述する板状の入射側見切り８０を取り付けると、第１フレーム６０の内側にパネル収容部が構成され、かかるパネル収容部は、入射側見切り８０からなる底部を有している。
【００５４】
第１フレーム６０において、側壁６１、６２、６３の内側面は、電気光学パネル４０に出射側透光板５６を貼付した状態の端部の形状に対応する多段構造になっている。より具体的には、Ｘ軸方向の一方側Ｘ１に位置する側壁６１、Ｘ軸方向の他方側Ｘ２に位置する側壁６２、およびＹ軸方向の他方側Ｙ２に位置する側壁６３の内側面には、Ｚ軸方向に沿って段部６０ａ、６０ｂが形成されている。また、第１フレーム６０において、側壁６１、６２、６３の内側面には、画像光の出射側（Ｚ方向の他方側Ｚ２）に突出する側板部６１１、６２１、６３１を出射側透光板５６の側面５６１、５６２、５６３からＸ軸方向およびＹ軸方向で離間させる段部６０ｃが形成されている。
【００５５】
本形態において、第１フレーム６０では、側板部６１１、６２１のＺ方向の他方側Ｚ２の端部から外側に折り曲がったフランジ板６１５、６２５が形成されている。フランジ板６１５、６２５には、電気光学モジュール１０を、図１等を参照して説明した投射型表示装置１（電子機器）に搭載する際、電気光学モジュール１０の位置決め固定をするための取り付け部６１６、６２６が形成されている。取り付け部６１６、６２６は、例えば、接着剤による固定やビスによる固定等が行われる穴からなる。本形態において、取り付け部６１６、６２６は、ＵＶ接着剤による固定が行われる穴からなる。
【００５６】
Ｙ軸方向の一方側Ｙ１に位置する側壁６４は、側壁６１、６２、６３に比してＺ方向の寸法が小さい板状部になっており、側壁６４の内側面には、１つ段部６０ａのみが形成されている。このため、フレキシブル配線基板４０ｉを電気光学パネル４０の面内方向に沿って延在するように第１フレーム６０の外側に引き出すことができる。
【００５７】
（入射側見切り８０の構成）
第１フレーム６０に対して光入射側（Ｚ軸方向の一方側Ｚ１）には、金属板あるいは樹脂板からなる板状の入射側見切り８０が重ねて配置されている。本形態において、入射側見切り８０は金属製である。入射側見切り８０は、第１フレーム６０に対して画像光の出射側で重なる四角形の端板部８７を備えており、端板部８７の中央には開口部８８が形成されている。開口部８８は、第１フレーム６０の開口部６８に比して小さい。このため、入射側見切り８０の端板部８７は、電気光学パネル４０に光源光が入射する範囲を制限することができる。
【００５８】
入射側見切り８０は、端板部８７のＸ軸方向の両側の外縁から延在する側板部８１、８２を備えており、側板部８１、８２の各々に係合穴８１０、８２０が形成されている。一方、第１フレーム６０の側壁６１、６２の外側の側面には、係合穴８１０、８２０の各々に嵌る突部６１７、６２７が形成されている。従って、入射側見切り８０は、第１フレーム６０を挟むように設けられた側板部８１、８２が第１フレーム６０の突部６１７、６２７に係合することによって第１フレーム６０に連結され、第１フレーム６０と一体化している。
【００５９】
なお、本形態では、入射側透光板５７の電気光学パネル４０側の面において端板部８７と重なる領域には遮光層５７０が設けられており、遮光層５７０および入射側見切り８０によって、入射側からの光源光の入射範囲が制限されている。
【００６０】
（第２フレーム７０の構成）
本形態の電気光学モジュール１０は、第１フレーム６０より画像光の出射側（Ｚ方向の他方側Ｚ２）に、電気光学パネル４０、出射側透光板５６および第１フレーム６０のうちの少なくとも一つに固定された第２フレーム７０を有している。本形態において、第２フレーム７０は、出射側透光板５６の電気光学パネル４０とは反対側の面５６ａ（画像光の出射側の面）に接着剤７６によって固定された金属製の板状フレーム７０Ａからなる。
【００６１】
板状フレーム７０Ａ（第２フレーム７０）は、出射側透光板５６の電気光学パネル４０とは反対側の面５６ａ（画像光の出射側の面）に接着剤７６によって固定された枠状の固定部材７５を有している。固定部材７５は、電気光学パネル４０および第１フレーム６０から離間しており、電気光学パネル４０および第１フレーム６０には固定されていない。固定部材７５は、出射側透光板５６の電気光学パネル４０とは反対側の面５６ａ（画像光の出射側の面）に接着剤７６によって固定された枠状の板部７０３と、板部７０３の外縁から第１フレーム６０とは反対側に突出した筒状の胴部７０２とを備えている。板部７０３は四角形の枠状であり、胴部７０２は角筒状である。胴部７０２の板部７０３とは反対側（第１フレーム６０とは反対側）の端部７０１は、外側に向けて折れ曲がっている。
【００６２】
ここで、板部７０３の内縁側の部分は、出射側透光板５６の端部に画像光の出射側から重なって出射側見切り９０を構成している。従って、出射側見切り９０は固定部材７５と一体に構成されている。本形態において、電気光学パネル４０に形成された遮光層４０８の内縁は、出射側見切り９０の内縁より内側に位置する。
【００６３】
第２フレーム７０の固定部材７５において、胴部７０２には、光学素子として、出射側偏光板１６１および出射側位相差板１６５が保持されている。出射側偏光板１６１は四角形状であり、出射側位相差板１６５は、出射側偏光板１６１より大きな四角形状を有している。従って、胴部７０２の端部７０１の出射側透光板５６とは反対側の面７０１ａに出射側位相差板１６５が接着剤等によって固定され、出射側位相差板１６５の出射側透光板５６とは反対側の面に出射側偏光板１６１が接着剤等によって固定されている。
【００６４】
（電気光学モジュール１０の製造方法）
このように構成した電気光学モジュール１０を製造するには、第１フレーム６０に入射側見切り８０を取り付けて第１フレーム６０の内側にパネル収容部を形成した後、パネル収容部の内側に、出射側透光板５６および入射側透光板５７を貼付した電気光学パネル４０を収容する。その際、第１フレーム６０の側壁６１、６２、６３、６４の内面に接着剤６６を塗布しておく。従って、入射側透光板５７の側面５７１、５７２、５７３、および電気光学パネル４０の側面（第１基板５１の側面５１１、５１２、５１３、および第２基板５２の側面５２１、５２２、５２３）を接着剤６６によって第１フレーム６０の側壁６１、６２、６３に固定することができる。また、入射側透光板５７の側面５７４、および電気光学パネル４０の側面（第２基板５２の側面５２４）を接着剤６６によって第１フレーム６０の側壁６４に固定することができる。
【００６５】
次に、出射側位相差板１６５および出射側偏光板１６１を固定した第２フレーム７０を出射側透光板５６の出射側の面５６ａに接着剤７６によって固定する。その結果、電気光学モジュール１０が得られる。
【００６６】
このように構成した電気光学モジュール１０を、図１等を参照して説明した投射型表示装置１（電子機器）に搭載する際、投射型表示装置１（電子機器）のフレーム等に対して、電気光学モジュール１０を取り付け部６１６、６２６を介して接着剤によって固定する。
【００６７】
（本形態の主な効果）
以上説明したように、本形態の電気光学モジュール１０において、出射側見切り９０は、出射側透光板５６を画像光の出射側から覆い、かかる出射側見切り９０は、第１フレーム６０より画像光の出射側に設けられた第２フレーム７０に設けられている。このため、出射側透光板５６の側面５６１、５６２、５６３、５６４から漏れた光は、第２フレーム７０で遮断されるため、迷光として出射されることを防止することができる。従って、出射側透光板５６の側面５６１、５６２、５６３、５６４から漏れた光が迷光となって画像の品位を低下させることを防止することができる。
【００６８】
また、出射側見切り９０が設けられた第２フレーム７０は第１フレーム６０とは別体であるため、一体のフレームに出射側見切りを設けた場合と違って、電気光学モジュール１０を組み立てる際、画像光の出射側からフレームの内側（第１フレーム６０の内側）に電気光学パネル４０を配置することができる。
【００６９】
また、第２フレーム７０の固定部材７５（板部７０３）に出射側見切り９０が一体に形成されている。このため、別体の出射側見切りを別途、用いる必要がないので、電気光学モジュール１０の構成の簡素化を図ることができる。従って、電気光学モジュール１０に使用する部品のコストを低減することができるとともに、電気光学モジュール１０を効率よく組み立てることができる。
【００７０】
また、第２フレーム７０に出射側偏光板１６１および出射側位相差板１６５が保持された構造となっているので、出射側偏光板１６１および出射側位相差板１６５を適正な位置に容易に配置することができる。例えば、本形態では、出射側偏光板１６１および出射側位相差板１６５は、第２フレーム７０の胴部７０２の端部７０１に保持されており、出射側透光板５６から離間する所定位置に配置されている。従って、電気光学パネル４０で発生した熱が出射側透光板５６を介して出射側偏光板１６１および出射側位相差板１６５に伝わるのを抑制することができる。それ故、出射側偏光板１６１および出射側位相差板１６５の劣化を抑制することができる。
【００７１】
［実施の形態１の変形例］
上記実施の形態１では、出射側見切り９０が固定部材７５と一体に構成されていたが、固定部材７５の板部７０３に、固定部材７５と別部材からなる枠状の見切り用部材を板部７０３から内側に突出するように固定して出射側見切り９０を構成してもよい。
【００７２】
［実施の形態２］
図８は、本発明の実施の形態２に係る電気光学モジュール１０のＸＺ断面図である。なお、本形態の基本的な構成は、実施の形態１と同様であるため、共通する部分には、同一の符号を付してそれらの説明を省略する。
【００７３】
図８に示すように、本形態の電気光学モジュール１０でも、実施の形態１と同様、第１フレーム６０より画像光の出射側で、電気光学パネル４０、出射側透光板５６および第１フレーム６０のうちの少なくとも一つに固定された第２フレーム７０を有している。本形態において、第２フレーム７０は、出射側透光板５６の側面５６１、５６２等の４つの側面、および電気光学パネル４０の第１基板５１の画像光の出射側の面（第２面５１ｂ）に接着剤７７によって面で固定された板状フレーム７０Ｂからなる。第１フレーム６０は、図７等に示す側板部６１１、６２１等が形成されておらず、第１フレーム６０の出射側の端部６９は、電気光学パネル４０の第１基板５１の出射側の面（第２面５１ｂ）と同等の高さ位置にある。従って、第２フレーム７０は、第１フレーム６０に接着固定されていない。本形態において、第１フレーム６０はアルミニウム系金属材料からなる。このため、電気光学モジュール１０は、第１フレーム６０を介しての放熱性が高い。
【００７４】
本形態において、板状フレーム７０Ｂ（第２フレーム７０）は、電気光学パネル４０および出射側透光板５６に接着剤７７によって固定された枠状の固定部材７５を有している。固定部材７５は、電気光学パネル４０および出射側透光板５６に接着剤７７によって面で固定された枠状の板部７１と、板部７１から第１フレーム６０とは反対側に突出した筒状の胴部７２とを備えている。板部７１は四角形の枠状であり、胴部７２は角筒状である。胴部７２の板部７１とは反対側（第１フレーム６０とは反対側）の端部７２１は、内側に向けて折れ曲がっている。
【００７５】
このような構成の板状フレーム７０Ｂを構成するにあたって、本形態では、四角形の枠状に形成された平板状の板状部材７１０と、板状部材７１０に固定された角筒状の筒状部材７２０とが用いられており、板状部材７１０によって板部７１が構成され、筒状部材７２０によって胴部７２が構成されている。板状部材７１０および筒状部材７２０は金属製であるが、板状部材７１０は、筒状部材７２０より板厚が厚い。本形態において、板状部材７１０および筒状部材７２０は、ＳＰＰＣ等の鉄系金属材料からなる。かかる金属材料によれば、放熱性を確保することができる。また、板状部材７１０および筒状部材７２０が同一の金属材料からなるため、熱膨張係数が等しい。従って、温度変化が発生したときでも、歪が発生しにくい。
【００７６】
板状部材７１０は、出射側からみたとき、第１フレーム６０よりＸ軸方向の両側に突出しており、第２フレーム７０において、出射側からみたとき、第１フレーム６０よりＸ軸方向に突出した部分には、電気光学モジュール１０を、図１等を参照して説明した投射型表示装置１（電子機器）に搭載する際、電気光学モジュール１０を位置決め固定をするための取り付け部７０６が形成されている。取り付け部７０６は、接着剤による固定やビスによる固定等が行われる穴からなる。本形態において、取り付け部７０６は、ＵＶ接着剤による固定が行われる穴からなる。
【００７７】
筒状部材７２０は、板状部材７１０側の端部から内側に突出した枠状の端板部７２３を有しており、端板部７２３は、ビス７４０によって板状部材７１０に固定されている。ここで、端板部７２３の内側端部は、内側に突出して出射側透光板５６に画像光の出射側から重なって出射側見切り９０を構成している。従って、出射側見切り９０は固定部材７５と一体に構成されている。本形態において、電気光学パネル４０に形成された遮光層４０８の内縁は、出射側見切り９０の内縁より内側に位置する。
【００７８】
第２フレーム７０の固定部材７５において、光学素子として、出射側偏光板１６１および出射側位相差板１６５が保持されている。本形態において、出射側偏光板１６１および出射側位相差板１６５は、胴部７２に保持されている。より具体的には、胴部７２の板状部材７１０（板部７１）とは反対側の端部７２１には出射側偏光板１６１が接着剤等によって固定され、胴部７２の内側には、出射側偏光板１６１と出射側透光板５６との間に出射側位相差板１６５が保持されている。
【００７９】
本形態において、出射側位相差板１６５は、出射側偏光板１６１に対して斜めに傾いた姿勢で胴部７２の内側に保持されている。より具体的には、胴部７２には、Ｘ軸方向で相対向する側面から内側に向けて突出した２つの支持板部７２５、７２６が形成され、支持板部７２５、７２６に出射側位相差板１６５が接着剤等によって固定されている。ここで、支持板部７２５、７２６は、画像光の出射方向において離間した位置に形成されている。従って、出射側位相差板１６５は、出射側偏光板１６１に対して斜めに傾いた姿勢で胴部７２の内側に保持されている。なお、図８では、出射側位相差板１６５が支持板部７２５、７２６に直接、固定された形態が例示されているが、出射側位相差板１６５を金属板等からなるホルダに取り付け、ホルダを支持板部７２５、７２６に対して角度調整した後、固定することが好ましい。
【００８０】
このように構成した電気光学モジュール１０を製造するには、出射側透光板５６および入射側透光板５７を貼付した電気光学パネル４０を第１フレーム６０に内側に接着剤６６によって固定した後、出射側位相差板１６５および出射側偏光板１６１を固定した第２フレーム７０を接着剤７７によって固定する。その結果、電気光学モジュール１０が得られる。
【００８１】
そして、電気光学モジュール１０を、図１等を参照して説明した投射型表示装置１（電子機器）に搭載する際、投射型表示装置１（電子機器）のフレーム等に対して、電気光学モジュール１０を取り付け部７０６を介して接着剤によって固定する。その際、投射型表示装置１（電子機器）のフレーム等と、板状部材７１０とを同一の材料とすることが好ましい。かかる構成によれば、熱膨張係数が等しいので、温度変化が発生したときでも、電気光学モジュール１０の位置ずれを抑制することができる。
【００８２】
以上説明したように、本形態の電気光学モジュール１０において、出射側見切り９０は、出射側透光板５６を画像光の出射側から覆い、かかる出射側見切り９０は、第１フレーム６０より画像光の出射側に設けられた第２フレーム７０に設けられている。このため、出射側透光板５６の側面５６１、５６２、５６３、５６４から漏れた光は、第２フレーム７０で遮断されるため、迷光として出射されることを防止することができる。従って、出射側透光板５６の側面５６１、５６２、５６３、５６４から漏れた光が迷光となって画像の品位を低下させることを防止することができる。
【００８３】
また、出射側見切り９０が設けられた第２フレーム７０は第１フレーム６０とは別体であるため、一体のフレームに出射側見切りを設けた場合と違って、電気光学モジュールを組み立てる際、画像光の出射側からフレームの内側（第１フレーム６０の内側）に電気光学パネル４０を配置することができる。さらに、第２フレーム７０の固定部材７５（板部７１）に出射側見切り９０が一体に形成されているため、別体の出射側見切りを別途、用いる必要がない。
【００８４】
また、第２フレーム７０に出射側偏光板１６１および出射側位相差板１６５が保持された構造となっているので、出射側偏光板１６１および出射側位相差板１６５を適正な位置に容易に配置することができる。例えば、出射側偏光板１６１および出射側位相差板１６５は、第２フレーム７０の胴部７２に保持されているため、出射側偏光板１６１と出射側位相差板１６５とを離間する所定位置に配置することができる。また、出射側位相差板１６５を出射側偏光板１６１に対して斜めに傾いた姿勢で配置することもできる。
【００８５】
また、第２フレーム７０において、板部７１および胴部７２は、ＳＰＰＣ等の鉄系金属材料からなる。かかる金属材料によれば、放熱性を確保することができる。また、板部７１および胴部７２が同一の金属材料からなるため、熱膨張係数が等しい。従って、温度変化が発生したときでも、歪が発生しにくい。
【００８６】
［実施の形態２の変形例１］
実施の形態２では、第２フレーム７０（板状フレーム７０Ｂ）に用いた筒状部材７２０の端板部７２３が出射側透光板５６に出射側から重なって出射側見切り９０が構成されていたが、板状部材７１０に対して、内側に突出した凸部を一体に形成し、かかる凸部によって、出射側見切り９０を構成してもよい。
【００８７】
［実施の形態２の変形例２］
図９は、本発明の実施の形態２の変形例２に係る電気光学モジュール１０のＸＺ断面図である。実施の形態２において、第２フレーム７０では、板状部材７１０によって板部７１が構成され、筒状部材７２０によって胴部７２が構成されていたが、本形態では、図９に示すように、板部７１と胴部７２とが一体のフレーム部材７０Ｃからなる。フレーム部材７０ｃは、ＳＰＰＣ等の鉄系金属材料からなる。また、板部７１および胴部７２が同一の金属材料からなるため、熱膨張係数が等しい。従って、温度変化が発生したときでも、歪が発生しにくい。
【００８８】
このように構成した第２フレーム７０において、板部７１には、接着剤７８によって枠状の見切り部材７３０が固定されており、見切り部材７３０は、第２フレーム７０から内側に突出して出射側透光板５６を覆う出射側見切り９０を構成している。その他の構成は、実施の形態１、２と同様であるため、説明を省略する。
【００８９】
［電気光学モジュールの他の形態］
上記実施の形態は、第２フレーム７０が出射側透光板５６に接着固定された構造、第２フレーム７０が出射側透光板５６および電気光学パネル４０に接着固定された構造になっていたが、さらに、第１フレーム６０に接着固定された構造を採用してもよい。
【００９０】
上記実施の形態では、透過型の電気光学パネル４０を備えた電気光学モジュール１０を例示したが、反射型の電気光学パネル４０を備えた電気光学モジュール１０に本発明を適用してもよい。上記実施の形態では、投射型表示装置として投射像を観察する方向から投射を行う前面投射型表示装置を例示したが、投射像を観察する方向とは反対側から投射を行う背面投射型表示装置に本発明を適用してもよい。
【００９１】
上記実施の形態では、電気光学パネルとして液晶パネルを例に挙げて説明したが、本発明はこれに限定されず、有機エレクトロルミネッセンス表示用パネル、プラズマディスプレイパネル、ＦＥＤ（Field Emission Display）パネル、ＳＥＤ（Surface-Conduction Electron-Emitter Display）パネル、ＬＥＤ（発光ダイオード）表示パネル、電気泳動表示パネル等を用いた電気光学モジュールに本発明を適用してもよい。
【００９２】
［他の電子機器］
本発明を適用した電気光学モジュールについては、上記の電子機器（投射型表示装置）の他にも、携帯電話機、情報携帯端末（ＰＤＡ：Personal Digital Assistants）、デジタルカメラ、液晶テレビ、カーナビゲーション装置、テレビ電話、ＰＯＳ端末、タッチパネルを備えた機器等の電子機器において直視型表示装置として用いてもよい。
【符号の説明】
【００９３】
１・・投射型表示装置、１０・・電気光学モジュール、４０・・電気光学パネル、４０ａ・・画像表示領域、５１・・第１基板、５６・・出射側透光板、５７・・入射側透光板、６１〜６４・・側壁、６６、７６、７７、７８・・接着剤、７０・・第２フレーム、７０Ａ、７０Ｂ・・板状フレーム、７０Ｃ・・フレーム部材、７１・・板部、７２・・胴部、７５・・固定部材、８０・・入射側見切り、９０・・出射側見切り、１６１・・出射側偏光板（光学素子）、１６５・・出射側位相差板（光学素子）、４０８・・遮光層、４５０・・電気光学層、５１１〜５１４・・第１基板の側面、５２１〜５２４・・第２基板の側面、５６１〜５６４・・出射側透光板の側面、５７０・・遮光層、５７１〜５７４・・入射側透光板の側面、６１６、６２６・・取り付け部、７０１・・フレームの胴部の端部、７０２・・胴部、７０３・・板部、７０６・・取り付け部、７１０・・板状部材、７２０・・筒状部材、７２１・・端部、７３０・・見切り部材
【図１】
0006507805.tif 000002
【図２】
0006507805.tif 000003
【図３】
0006507805.tif 000004
【図４】
0006507805.tif 000005
【図５】
0006507805.tif 000006
【図６】
0006507805.tif 000007
【図７】
0006507805.tif 000008
【図８】
0006507805.tif 000009
【図９】
0006507805.tif 000010